(57)【特許請求の範囲】
【請求項１】
ブリッジ部及びリム部を有するフレーム本体と、左側テンプル及び右側テンプルと、左側レンズ体及び右側レンズ体と、を有するアイウェアであって、
アタッチメントが、前記ブリッジ部、前記左側テンプル及び前記右側テンプルに着脱可能に取り付けられ、
前記ブリッジ部に取り付けられた前記アタッチメントと、前記左側テンプルに取り付けられた前記アタッチメント及び前記右側テンプルに取り付けられた前記アタッチメントと、を連結するように、チェイン状の装飾材が取り付けられており、
更に前記チェイン状の装飾材が前記左側レンズ体及び前記右側レンズ体と重なる状態で配置されていること、
を特徴とする装飾材付きアイウェア。
【請求項２】
前記アタッチメントが、蝶番を介して開閉できるように構成されているか、又は、クリップ形式で着脱可能に構成されていること、
を特徴とする請求項１に記載の装飾材付きアイウェア。
【発明の詳細な説明】
【技術分野】
【０００１】
本発明は、装飾材によって彩られたファッション性の高い眼鏡等のアイウェアに関する。
【背景技術】
【０００２】
視力に劣る人口の増大により眼鏡（アイウェア）の利用者数も増大しているが、眼鏡業界では、価格競争に伴う利益率の低下や個人消費の低迷等により、市場規模は縮小する傾向にあるように見受けられる。
【０００３】
なかでも、個人消費の低迷については、個々のユーザーの嗜好に応えられる機能性やデザイン性の高い製品がそれほど多くは上市しておらず、ユーザーの選択の余地が狭いことがその原因の一つと考えられている。
【０００４】
そして、機能性を追求したものとしては、例えば特許文献１（特開２００７−０１７９３９号公報）において、静電気誘導を利用して、外から飛来し目の周囲面とリムの間を介して目に入ろうとする花粉をリム部に吸着することで、目への花粉の侵入を防ぐようにした新規の花粉症対策眼鏡が提案されている。
【０００５】
他方、デザイン性を追求したものとしては、例えば特許文献２（特開２０１０−６０７８０号公報）において、装飾の変更が容易であるとともに、安価且つ装飾性に優れた装飾付眼鏡フレームとして、眼鏡フレームに対するテンプル連結用金具の下面に、装飾物吊り下げ用リングを一体に備え、該リングに宝飾品などの装飾部を備えた装飾具を吊り下げ自在とすることが提案されている。
【先行技術文献】
【特許文献】
【０００６】
【特許文献１】特開２００７−０１７９３９号公報
【特許文献２】特開２０１０−６０７８０号公報
【発明の概要】
【発明が解決しようとする課題】
【０００７】
しかしながら、上記特許文献２において提案されている装飾具では、テンプル連結用金具がテンプルに埋め込まれて使用されるため、その取り外しや取り換えが必ずしも容易ではないという問題がある。
【０００８】
そこで、本発明の目的は、取り外しや取り換えが容易な装飾材を具備し、デザイン性の高い眼鏡等のアイウェアを実現することにある。
【課題を解決するための手段】
【０００９】
上述した課題を解決すべく、本発明は、
ブリッジ部及びリム部を有するフレーム本体と、左側テンプル及び右側テンプルと、左側レンズ体及び右側レンズ体と、を有するアイウェアであって、
少なくとも前記フレーム本体の一部に取り付けられたアタッチメントと、前記アタッチメントに取り付けられた装飾材と、を具備すること、
を特徴とする装飾材付きアイウェアを提供する。
【００１０】
上記の本発明の装飾材付きアイウェアにおいては、前記アタッチメントが、前記リム部のうちのいずれかの領域に着脱可能に取り付けられること、が好ましい。
【００１１】
また、上記の本発明の装飾材付きアイウェアにおいては、前記アタッチメントが、前記左側レンズ体及び前記右側レンズ体のいずれかの領域に着脱可能に取り付けられること、が好ましい。
【００１２】
また、上記の本発明の装飾材付きアイウェアにおいては、前記アタッチメントが、前記左側レンズ体及び前記右側レンズ体のいずれかの領域に着脱可能に取り付けられること、が好ましい。
【００１３】
更に、上記の本発明の装飾材付きアイウェアにおいては、前記アタッチメントが、前記ブリッジ部、前記リム部、前記左側レンズ体、前記右側レンズ体、前記左側テンプル及び前記右側テンプルのうちの２か所に着脱可能に取り付けられ、前記２か所を連結するように前記アタッチメントに前記装飾材が取り付けられること、が好ましい。
【００１４】
なお、上記本発明の装飾材においては、前記アタッチメントが前記装飾材を兼ねる構成を有していてもよい。
【発明の効果】
【００１５】
本発明によれば、取り外しや取り換えが容易な装飾材を具備し、デザイン性の高い眼鏡等のアイウェアを実現することができる。
【図面の簡単な説明】
【００１６】
【図１】本発明の実施形態１に係る装飾材付きアイウェアの構成を示す概略図である。
【図２】本発明の実施形態２に係る装飾材付きアイウェアの構成を示す概略図である。
【図３】本発明の実施形態３に係る装飾材付きアイウェアの構成を示す概略図である。
【図４】本発明の実施形態４に係る装飾材付きアイウェアの構成を示す概略図である。
【図５】本発明の実施形態５に係る装飾材付きアイウェアの構成を示す概略図である。
【図６】本発明の実施形態６に係る装飾材付きアイウェアの構成を示す概略図である。
【図７】本発明の実施形態７に係る装飾材付きアイウェアの構成を示す概略図である。
【図８】本発明の実施形態８に係る装飾材付きアイウェアの構成を示す概略図である。
【図９】本発明の実施形態９に係る装飾材付きアイウェアの構成を示す概略図である。
【図１０】本発明の実施形態１０に係る装飾材付きアイウェアの構成を示す概略図である。
【図１１】本発明の実施形態１１に係る装飾材付きアイウェアの構成を示す概略図である。
【図１２】本発明の実施形態１２に係る装飾材付きアイウェアの構成を示す概略図である。
【図１３】本発明の実施形態１３に係る装飾材付きアイウェアの構成を示す概略図である。
【発明を実施するための形態】
【００１７】
以下、本発明に係る装飾材付きアイウェアの実施形態について、図面を参照しながら説明するが、以下に示す実施形態は、本発明の一実施形態を示したものに過ぎず、本発明が図示されるものに限られないことはいうまでもない。また、以下の説明では、同一又は相当部分には同一符号を付し、重複する説明は省略することもある。図面は、本発明を概念的に説明するためのものであるから、理解容易のために、必要に応じて寸法、比又は数を誇張又は簡略化して表している場合もある。
【００１８】
≪実施形態１≫
図１は、実施形態１に係る装飾材付きアイウェア１の構成を示す概略図である。実施形態１のアイウェア１は、ブリッジ部２ａ及びリム部２ｂを有するフレーム本体２と、左側テンプル４ａ及び右側テンプル４ｂと、左側レンズ体６ａ及び右側レンズ体６ｂと、を有する。
そして、フレーム本体２の一部である左右のリム部２ｂの外側部分のうちの下方部分に着脱可能に取り付けられたアタッチメント１０と、アタッチメント１０に取り付けられた装飾材１２と、を具備している。このアタッチメント１０は、例えば、クリップ形式の構造を有しており、着脱可能な態様で取り付けられている。
また、装飾材１２は、チェイン状部分の先端にボンボリ状の飾りが取り付けられた構造を有している。もちろん、装飾材１２の具体的な態様はこれに限定されるものではない。
【００１９】
≪実施形態２≫
図２は、実施形態２に係る装飾材付きアイウェア１の構成を示す概略図である。実施形態２のアイウェア１では、フレーム本体２の一部である左右のリム部２ｂの外側部分のうちの下方部分に着脱可能に取り付けられたアタッチメント１０が、装飾材１２を兼ねて、着脱可能な態様で取り付けられている。なお、装飾材１２は、略星型形状を有しているが、具体的な態様はこれに限定されるものではない。
【００２０】
≪実施形態３≫
図３は、実施形態３に係る装飾材付きアイウェア１の構成を示す概略図である。実施形態３のアイウェア１では、フレーム本体２の一部である左右のリム部２ｂの上側部分のうちの外側部分に着脱可能に取り付けられたアタッチメント１０が、装飾材１２を兼ねて、着脱可能な態様で取り付けられている。なお、装飾材１２は、略星型形状を有しているが、具体的な態様はこれに限定されるものではない。
【００２１】
≪実施形態４≫
図４は、実施形態４に係る装飾材付きアイウェア１の構成を示す概略図である。実施形態４のアイウェア１では、左右のリム部２ｂの下側部分のうちの中央側部分にそれぞれ着脱可能に取り付けられた２個のアタッチメント１０と、左側テンプル４ａ及び右側テンプル４ｂのそれぞれに着脱可能に取り付けられた２個のアタッチメント１０と、を有する。
そして、チェイン状の装飾材１２が、左のリム部２ｂのアタッチメント１０と、左側テンプル４ａに取り付けられたアタッチメント１０と、の間を垂れるように繋いでいる。また、もう一つの装飾材１２が、右のリム部２ａのアタッチメント１０と、右側テンプル４ｂに取り付けられたアタッチメント１０と、の間を垂れるように繋いでいる。
【００２２】
≪実施形態５≫
図５は、実施形態５に係る装飾材付きアイウェア１の構成を示す概略図である。実施形態５のアイウェア１では、ブリッジ部２ａに着脱可能に取り付けられた中央のアタッチメント１０と、左側テンプル４ａ及び右側テンプル４ｂのそれぞれに着脱可能に取り付けられた２個のアタッチメント１０と、を有する。
そして、チェイン状の装飾材１２が、中央のアタッチメント１０と、左側テンプル４ａに取り付けられたアタッチメント１０と、の間を垂れるように繋いでいる。また、もう一つの装飾材１２が、中央のアタッチメント１０と、右側テンプル４ｂに取り付けられたアタッチメント１０と、の間を垂れるように繋いでいる。
なお、装飾材１２は、左側レンズ体６ａ及び右側レンズ体６ｂと、ユーザーの顔面との間に位置することになる。
【００２３】
≪実施形態６≫
図６は、実施形態６に係る装飾材付きアイウェア１の構成を示す概略図である。実施形態６のアイウェア１では、左のリム部２ｂの外側部分のうちの下側部分に着脱可能に取り付けられたアタッチメント１０が、装飾材１２を兼ねている。
【００２４】
≪実施形態７≫
図７は、実施形態７に係る装飾材付きアイウェア１の構成を示す概略図である。実施形態７のアイウェア１では、左のリム部２ｂの上側部分のうちの外側部分に着脱可能に取り付けられたアタッチメント１０が、装飾材１２を兼ねている。
【００２５】
≪実施形態８≫
図８は、実施形態８に係る装飾材付きアイウェア１の構成を示す概略図である。実施形態８のアイウェア１では、左右のリム部２ｂの下側部分のうちの中央側部分にそれぞれ着脱可能に取り付けられた２個のアタッチメント１０と、左側テンプル４ａ及び右側テンプル４ｂのそれぞれに着脱可能に取り付けられた２個のアタッチメント１０と、を有する。
そして、実施形態４と比べて太目のチェイン状の装飾材１２が、左のリム部２ｂのアタッチメント１０と、左側テンプル４ａに取り付けられたアタッチメント１０と、の間を垂れるように繋いでいる。また、もう一つの装飾材１２が、右のリム部２ａのアタッチメント１０と、右側テンプル４ｂに取り付けられたアタッチメント１０と、の間を垂れるように繋いでいる。
【００２６】
≪実施形態９≫
図９は、実施形態９に係る装飾材付きアイウェア１の構成を示す概略図である。実施形態９のアイウェア１では、左右のリム部２ｂの外側部分のうちの中央側部分にそれぞれ着脱可能に取り付けられた２個のアタッチメント１０と、これらアタッチメント１０に取り付けられた装飾材１２と、を具備している。
【００２７】
≪実施形態１０≫
図１０は、実施形態１０に係る装飾材付きアイウェア１の構成を示す概略図である。実施形態１０のアイウェア１では、左右のリム部２ｂの外側部分において、４つの着脱可能に取り付けられたアタッチメント１０が、装飾材１２を兼ねた状態で設けられている。
このアタッチメント１０兼装飾材１２は、図１０の下段に示すように、蝶番を介して開閉できるように構成されており、左右のリム部２ｂの外側部分に着脱自在に取り付けられるものである。
【００２８】
≪実施形態１１≫
図１１は、実施形態１１に係る装飾材付きアイウェア１の構成を示す概略図である。実施形態１１のアイウェア１では、略円形状の左右のリム部２ｂの略外側部分において、左側レンズ体６ａ及び右側レンズ体６ｂの外側部分に、８つの着脱可能に取り付けられたアタッチメント１０が、装飾材１２を兼ねた状態で設けられている。
ただし、このアタッチメント１０兼装飾材１２は、実施形態１０のものと同様であり、左側レンズ体６ａ及び右側レンズ体６ｂにそれぞれ８つの貫通孔が設けられており、これら貫通孔を通るように取り付けられている。
【００２９】
≪実施形態１２≫
図１２は、実施形態１２に係る装飾材付きアイウェア１の構成を示す概略図である。実施形態１２のアイウェア１では、左側レンズ体６ａ及び右側レンズ体６ｂの外側部分の下側部分に、それぞれ貫通孔が設けられており、これら貫通孔を通るように実施形態１０のものと同様のアタッチメント１０取り付けられている。また、アタッチメント１０にチェイン状の装飾材１２が取り付けられている。
【００３０】
≪実施形態１３≫
図１３は、実施形態１３に係る装飾材付きアイウェア１の構成を示す概略図である。実施形態１３のアイウェア１では、左側レンズ体６ａ及び右側レンズ体６ｂの外側部分に、４つの着脱可能に取り付けられたアタッチメント１０を介して装飾材１２が取り付けらている。
本実施形態１３の装飾材１２は、図１３の下段に示すように、例えばダイヤモンド等の宝石で構成されており、ネジ加工を施したロッド状のアタッチメント１０に取り付けられ、当該アタッチメント１０が左側レンズ体６ａ及び右側レンズ体６ｂに取り付けられる。また、装飾材１２と左側レンズ体６ａ及び右側レンズ体６ｂとの間には、例えば樹脂製ワッシャを介在させてもよい。
【符号の説明】
【００３１】
１・・・アイウェア、
２・・・フレーム本体、
２ａ・・・ブリッジ部、
２ｂ・・・リム部、
４ａ・・・左側テンプル、
４ｂ・・・右側テンプル、
６ａ・・・左側レンズ体、
６ｂ・・・右側レンズ体、
１０・・・アタッチメント、
１２・・・装飾材。
【図１】
0006432073.tif 000002
【図２】
0006432073.tif 000003
【図３】
0006432073.tif 000004
【図４】
0006432073.tif 000005
【図５】
0006432073.tif 000006
【図６】
0006432073.tif 000007
【図７】
0006432073.tif 000008
【図８】
0006432073.tif 000009
【図９】
0006432073.tif 000010
【図１０】
0006432073.tif 000011
【図１１】
0006432073.tif 000012
【図１２】
0006432073.tif 000013
【図１３】
0006432073.tif 000014